(57)【要約】【課題】特別利益付与状態となる可能性がある旨等の表示について遊技者に対して大きな興趣を与えることができるようにする。【解決手段】第１表示部３１は、その表示内容が変動してから部分的に停止した後に全面的に停止し、その部分的／全面的に停止された表示内容には特別利益付与可能性表示／特別利益付与表示があり、第２表示部３２は、その表示内容が変動した後であって第１表示部３１の表示内容が部分的／全面的に停止する前に特別表示又は非特別表示をするものであり、第２表示部３２が特別表示をした際には第１表示部３１が特別利益付与可能性表示／特別利益付与表示をする可能性があるように設定されており、第２表示部３２における表示内容の変動は、特別表示に対応するもの及び非特別表示に対応するものとの間におけるものである。【選択図】　　図２
2004008619.tif 000002
【特許請求の範囲】
【請求項１】
第１表示部と第２表示部とを有し、
前記第１表示部は、所定の条件が満たされることに基づいてその表示内容が変動してから部分的に停止した後に全面的に停止し、その部分的に停止された表示内容には、遊技者に特別の利益を与える可能性がある旨の表示である特別利益付与可能性表示があり、その全面的に停止された内容には、遊技者に前記特別の利益を与える旨の表示である特別利益付与表示があるものであり、
前記第２表示部は、前記所定の条件が満たされることに基づいてその表示内容が変動した後であって前記第１表示部の表示内容が部分的に停止する前に特別表示又はそれ以外の非特別表示をし、かつ／又は、前記第１表示部の表示内容が部分的に停止した後に表示内容が変動し、前記第１表示部が全面的に停止する前に特別表示又はそれ以外の非特別表示をするものであり、
前記第１表示部の表示内容が部分的に停止する前に前記第２表示部が前記特別表示をした場合には前記第２表示部が前記非特別表示をした場合よりも前記第１表示部が前記特別利益付与可能性表示をする可能性が高くなるるように設定され、かつ／又は、前記第１表示部の表示内容が全面的に停止する前に前記第２表示部が前記特別表示をした場合には前記第２表示部が前記非特別表示をした場合よりも前記第１表示部が前記特別利益付与表示をする可能性が高くなるように設定されており、
前記第１表示部の表示内容の部分的停止及び／又は全面的停止の前の前記第２表示部における表示内容の変動は、前記特別表示に対応するもの及び前記非特別表示に対応するものとの間におけるものである、
パチンコ機の表示装置。
【請求項２】
請求項１に記載のパチンコ機の表示装置であって、
前記第２表示部は、前記第１表示部が前記特別利益付与表示以外の表示内容で停止した後において再度その表示内容が変動した後に前記特別表示又は前記非特別表示をする場合があるものであり、
その場合において、前記第２表示部が前記特別表示をした際には、前記第１表示部の表示内容が再度変動した後に前記特別利益付与表示をする、又は、その可能性があるように設定されている、
パチンコ機の表示装置。
【請求項３】
請求項１又は請求項２に記載のパチンコ機の表示装置であって、
前記第１表示部及び前記第２表示部が同一の役物内に設けられている、
パチンコ機の表示装置。
【発明の詳細な説明】
【０００１】
【発明の属する技術分野】
本発明は、パチンコ機における表示装置に関するものである。
【０００２】
【従来の技術】
従来、パチンコ機の表示装置として、特開２００１−７９２２９公報に記載されているものがある。
その表示装置では、可変表示装置（３０）のＬＣＤ表示器（３２）において、特別図柄（４１）が変動表示され、その後にその特別図柄（４１）が部分的に停止され、その後にその特別図柄（４１）が停止（すなわち全面的停止）される。そして、部分的に停止された表示には「リーチ」があり、「リーチ」の後に「大当たり」又はそれに近似する表示で特別図柄（４１）が全面的に停止する際には、その「リーチ」の段階で、「大当たり」になりやすい旨の大当たり高確率予告表示図柄（６１）がＬＣＤ表示器（３２）において表示される。
【０００３】
【発明が解決しようとする課題】
このように、上記従来の表示装置では、「大当たり」又はそれに近似する表示をする際には事前にその旨の表示（高確率予告表示）がされる。
しかしながら、その高確率予告表示（特別表示）は何の前触れもなく表示されるため、その表示装置では、その高確率予告表示の前に、その高確率予告表示になるかならないかについて遊技者は手がかりを得ることはできない。
このため、上記従来の表示装置では、その点で遊技者に対して興趣を与えることが不十分であった。
【０００４】
そこで、本発明は、特別利益付与状態となる可能性がある旨等を表示することについて、遊技者により大きな興趣を与えることができるパチンコ機の表示装置を提供することを目的とする。
【０００５】
【課題を解決するための手段】
上記の目的を達成するために、請求項１に係る発明は、第１表示部と第２表示部とを有し、前記第１表示部は、所定の条件が満たされることに基づいてその表示内容が変動してから部分的に停止した後に全面的に停止し、その部分的に停止された表示内容には、遊技者に特別の利益を与える可能性がある旨の表示である特別利益付与可能性表示があり、その全面的に停止された内容には、遊技者に前記特別の利益を与える旨の表示である特別利益付与表示があるものであり、前記第２表示部は、前記所定の条件が満たされることに基づいてその表示内容が変動した後であって前記第１表示部の表示内容が部分的に停止する前に特別表示又はそれ以外の非特別表示をし、かつ／又は、前記第１表示部の表示内容が部分的に停止した後に表示内容が変動し、前記第１表示部が全面的に停止する前に特別表示又はそれ以外の非特別表示をするものであり、前記第１表示部の表示内容が部分的に停止する前に前記第２表示部が前記特別表示をした場合には前記第２表示部が前記非特別表示をした場合よりも前記第１表示部が前記特別利益付与可能性表示をする可能性が高くなるるように設定され、かつ／又は、前記第１表示部の表示内容が全面的に停止する前に前記第２表示部が前記特別表示をした場合には前記第２表示部が前記非特別表示をした場合よりも前記第１表示部が前記特別利益付与表示をする可能性が高くなるように設定されており、前記第１表示部の表示内容の部分的停止及び／又は全面的停止の前の前記第２表示部における表示内容の変動は、前記特別表示に対応するもの及び前記非特別表示に対応するものとの間におけるものである、パチンコ機の表示装置である。
【０００６】
「停止」（部分的な停止及び全面的な停止とも）とは、表示内容が実質的に変動しないことを意味し、所定の内容で点滅する場合等も含まれるものとする。
第１表示部の表示内容が部分的に停止する前における第２表示部の特別表示と、第１表示部の表示内容が全面的に停止する前における第２表示部の特別表示とは、同一の表示であってもよいし、異なる表示であってもよい。
【０００７】
第２表示部における表示内容の変動の「特別表示に対応するもの及び非特別表示に対応するものとの間におけるもの」とは、「特別表示に対応するもの」と「非特別表示に対応するもの」との間の交互の変動に限らず、複数の「非特別表示に対応するもの」と１つの「特別表示に対応するもの」との間の変動も含まれる。
【０００８】
「前記第１表示部の…全面的停止の前の前記第２表示部における表示内容の変動は、前記特別表示に対応するもの及び前記非特別表示に対応するものとの間におけるものである、」には、次のような態様が考えられる。
第１の態様として、第２表示部が複数の分割表示部を有し、特別表示はその複数の分割表示部のうちの特定の分割表示部が静止的に発光するものであり、非特別表示部は前記複数の分割表示部のうちのその他の分割表示部が静止的に発光するものであり、第２表示部の表示内容の変動とは、その複数の分割表示部が選択的に短時間ごとに（すなわち、非静止的に）発光するものである、という態様が考えられる。
そして、第２表示部は、全体として円形の形状を有し、その第２表示部が放射状に延びる線によって区分されて複数の分割表示部が形成される態様や、全体として帯状の形状を有し、その第２表示部がその長さ方向に複数の分割表示部が形成される態様がある。また、各分割表示部が接触又は近接等しておらず、離隔している態様も考えられる。
【０００９】
第２の態様として、第２表示部が複数の種類の色の光（例えば「赤」「青」「緑」の３色）を選択的に発光するものであり、特別表示はそのうちの特定の色の光（例えば「赤」）を静止的に発光するものであり、非特別表示はその他の色の光（例えば「青」「緑」）を静止的に発光するものであり、第２表示部の表示内容の変動とは、その複数の種類の色の光を選択的に短時間ごとに（すなわち、非静止的に）発光するものである、という態様が考えられる。
【００１０】
上記発明のパチンコ機の表示装置では、次の第１の内容及び／又は第２の内容が得られる。
第１の内容としては、第２表示部は、所定の条件が満たされることに基づいてその表示内容が変動した後であって第１表示部の表示内容が部分的に停止する前に特別表示又はそれ以外の非特別表示をし、第２表示部が当該特別表示をした際には当該非特別表示をした際よりも第１表示部が特別利益付与可能性表示をする可能性が高い。
すなわち、第２表示部が特別表示をした場合には、それ以外の場合よりも、第１表示部が特別利益付与可能性表示をする可能性が高いという期待感を遊技者に与えることができ、その点で遊技者に対して興趣を与えることができる。
【００１１】
第２の内容としては、第２表示部は、第１表示部の表示内容が部分的に停止した後に再度表示内容が変動し、第１表示部が停止する前に特別表示又はそれ以外の非特別表示をし、第２表示部が当該特別表示をした際には当該非特別表示をした際よりも第１表示部が特別利益付与表示をする可能性が高い。
すなわち、第２表示部が特別表示をした場合には、それ以外の場合よりも、第１表示部が特別利益付与表示をする可能性が高いという期待感を遊技者に与えることができ、その点で遊技者に対して興趣を与えることができる。
【００１２】
そして、上述の第１の内容及び第２の内容における第２表示部の表示内容の変動は、特別表示に対応するもの及び非特別表示に対応するものとの間におけるものである。このため、遊技者は、特別表示をするか非特別表示をするかについてスリルを感じ、この表示装置はこの点でも遊技者に対して興趣を与えることができる。
【００１３】
なお、上記請求項１に係る発明の限定例として、次の発明が考えられる。
すなわち、限定例１として、「前記第１表示部の表示内容が部分的に停止する前に前記第２表示部が前記特別表示をした場合には前記第２表示部が前記非特別表示をした場合よりも前記第１表示部が前記特別利益付与可能性表示をする可能性が高くなるるように設定され、」が、「前記第１表示部の表示内容が部分的に停止する前に前記第２表示部が前記特別表示をした場合には前記第１表示部が前記特別利益付与可能性表示をする可能性があって前記第１表示部の表示内容が部分的に停止する前に前記第２表示部が前記非特別表示をした場合には前記第１表示部が前記特別利益付与可能性表示をする可能性がないように設定され、」と置き換えられた発明が考えられる。
【００１４】
この限定例１の場合においては、上述の第１の内容は、次のように置き換えられる。
「第１の内容としては、第２表示部は、所定の条件が満たされることに基づいてその表示内容が変動した後であって第１表示部の表示内容が部分的に停止する前に特別表示又はそれ以外の非特別表示をし、第２表示部が当該特別表示をした際には第１表示部が特別利益付与可能性表示をする可能性がある。
すなわち、第２表示部が特別表示をした場合には、第１表示部が特別利益付与可能性表示をする可能性があるという期待感を遊技者に与えることができ、その点で遊技者に対して興趣を与えることができる。」
【００１５】
限定例２として、「前記第１表示部の表示内容が全面的に停止する前に前記第２表示部が前記特別表示をした場合には前記第２表示部が前記非特別表示をした場合よりも前記第１表示部が前記特別利益付与表示をする可能性が高くなるように設定されており、」が、「前記第１表示部の表示内容が全面的に停止する前に前記第２表示部が前記特別表示をした場合には前記第２表示部が前記第１表示部が前記特別利益付与表示をする可能性があって前記第１表示部の表示内容が全面的に停止する前に前記第２表示部が前記非特別表示をした場合には前記第１表示部が前記特別利益付与表示をする可能性がないように設定されており、」と置き換えられた発明が考えられる。
【００１６】
この限定例２の場合においては、上述の第２の内容は、次のように置き換えられる。
「第２の内容としては、第２表示部は、第１表示部の表示内容が部分的に停止した後に再度表示内容が変動し、第１表示部が停止する前に特別表示又はそれ以外の非特別表示をし、第２表示部が当該特別表示をした際には第１表示部が特別利益付与表示をする可能性がある。
すなわち、第２表示部が特別表示をした場合には、第１表示部が特別利益付与表示をする可能性があるという期待感を遊技者に与えることができ、その点で遊技者に対して興趣を与えることができる。」
【００１７】
また、限定例３として、上記限定例１と上記限定例２とを組み合わせた発明も考えられる。
【００１８】
請求項２に係る発明は、請求項１に係る発明のパチンコ機の表示装置であって、前記第２表示部は、前記第１表示部が前記特別利益付与表示以外の表示内容で停止した後において再度その表示内容が変動した後に前記特別表示又は前記非特別表示をする場合があるものであり、その場合において、前記第２表示部が前記特別表示をした際には、前記第１表示部の表示内容が再度変動した後に前記特別利益付与表示をする、又は、その可能性があるように設定されている、パチンコ機の表示装置である。
【００１９】
「前記第２表示部が前記特別表示をした際には、前記第１表示部の表示内容が再度変動した後に前記特別利益付与表示をする、又は、その可能性があるように設定されている、」とは、「第２表示部が特別表示をした後に第１表示部の表示内容が再度変動を開始し、その後に第１表示部が特別利益付与表示をする、又は、その可能性がある」という場合に限らず、「第２表示部が再度変動を開始した後に第１表示部の表示内容が再度変動を開始し、その後に第２表示部が特別表示をした際に、その後に第１表示部が特別利益付与表示をする、又は、その可能性がある」という場合も含まれる。
【００２０】
上記発明のパチンコ機の表示装置では、一旦第１表示部が特別利益付与表示以外の表示内容で停止した際においても、再度第２表示部の表示内容が変動する場合があり、その変動の後に第２表示部が特別表示をした際には、第１表示部の表示内容が再度変動した後に特別利益付与表示をする、又は、その可能性がある。このように、一旦第１表示部が特別利益付与表示以外の表示内容で停止した際においても、第２表示部の再度の変動後に第１表示部が特別利益付与表示をする、又は、その可能性があり、遊技者には敗者復活のイメージを付与することが可能となり、その点で遊技者に対して興趣を与えることができる。
【００２１】
請求項３に係る発明は、請求項１又は請求項２に係る発明のパチンコ機の表示装置であって、前記第１表示部及び前記第２表示部が同一の役物内に設けられている、パチンコ機の表示装置である。
【００２２】
上記発明のパチンコ機の表示装置では、第１表示部及び第２表示部が同一の役物内に設けられているため、両者の表示内容を遊技者は容易に認識することができ、請求項１又は請求項２に記載の発明の作用効果がより確実に得られる。
【００２３】
【発明の実施の形態】
［実施形態１］
次に、本発明の実施形態１について図面に基づいて説明する。
図１に示すように、このパチンコ機は、ほぼ鉛直な遊技盤１０を有し、その下方には、ハンドル１２，発射装置（図示省略），賞球払い出し装置（図示省略）が設けられている。
遊技盤１０には、多数の釘（図示省略），複数の風車（符号省略）等が設けられている。
【００２４】
そして、遊技者によってハンドル１２が操作されることに基づいて、パチンコ球（遊技球）は、発射装置から発射されて遊技盤１０へ流入する。後述する各種の入賞口にパチンコ球が入った（これを入賞という）場合には、例えば１５個のパチンコ球が賞球として賞球払い出し装置から払い出される。
【００２５】
遊技盤１０のほぼ中央にはセンター役物２０が設けられている。センター役物２０の中央には、第１表示部３１が設けられている。センター役物２０の下方には始動入賞口２６が設けられ、その下方には大入賞口２７が設けられている。
そして、始動入賞口２６にパチンコ球が入る（これを入賞という）と、表示部における図柄が所定の時間変動表示され、その後、その変動が停止し、最終的な図柄が静止表示される。静止表示された図柄には「当たり」と「はずれ」があり、「当たり」の場合（例えば「７７７」）には、大入賞口２７が所定の回数開くようにされている。例えば、１５回開き、１回当たり１０個のパチンコ球が入るまで又は３０秒間開いたままとなる。そして、１個のパチンコ球の入賞に対して、１５個のパチンコ球が賞球として賞球払い出し装置から払い出される。
【００２６】
センター役物２０等について、図２に基づいて詳しく説明する。
前述のように、センター役物２０の中央には、第１表示部３１が設けられている。また、センター役物２０のうちの右側部分（第１表示部３１の右側）には、第２表示部３２が設けられている。第１表示部３１及び第２表示部３２によって表示装置３０が構成される。
【００２７】
遊技盤の裏側には、制御部５０が設けられている。
図３に示すように、制御部５０はＣＰＵ５１（中央演算処理装置）を有し、ＣＰＵ５１には、ＲＯＭ５２（リードオンリメモリ）及びＲＡＭ５３（ランダムアクセスメモリ）が接続されている。
ＲＯＭ５２には、後述するフローチャートのプログラムが記憶されている。ＲＡＭ５３にはそのフローチャートを実行する際の各種の時々刻々のデータが記憶される。
また、ＣＰＵ５１には、第１表示部３１，第２表示部３２，始動入賞口２６（正確には、始動入賞口２６に設けられたパチンコ球センサ）が接続されている。
【００２８】
図２に示すように、第１表示部３１は、液晶等によって形成され、横並びに３つの数字等が表示される。その表示には、３桁分すべてが変動するパターン（図９等参照）と、上２桁分が静止して下１桁分のみが変動するパターン（図１２，図１３等参照）と、３桁分すべてが静止するパターン（図１８〜図２０等参照）とがある。
３桁分すべてが静止するパターンのうちには、「当たり」の表示と「はずれ」の表示とがある。「当たり」の表示が本発明の「特別利益付与表示」に該当する。「当たり」の表示は、「７７７」等のようにすべての桁の数字がそろう表示であり（図１８参照）、「はずれ」の表示は、それ以外の表示である。
上２桁分が静止して下１桁分のみが変動するパターンのうちには、「リーチ」と「リーチ」以外の表示がある。「リーチ」の表示が本発明の「特別利益付与可能性表示」に該当する。「リーチ」の表示とは、「７７↓」（「↓」は変動中であることを示す）等のように、上２桁分の数字がそろう表示である（図１２等参照）。
【００２９】
図２に示すように、第２表示部３２は、円形が８つの分割表示部（３２ａ，３２ｂ）に分割された形状をしており、各分割表示部がＬＥＤ（発光ダイオード）等によって形成されている。そのうちの１つの分割表示部がチャンス表示部３２ａであり、その他の７つの各分割表示部が非チャンス表示部３２ｂである。そして、各分割表示部が各々独立的に発光可能であり、各タイミングにおいては全分割表示部のうちの１つの分割表示部のみが選択的にオン状態となる。
【００３０】
そして、第２表示部３２の表示には、発光位置が変動するパターン（図９等参照）と、発光位置が静止するパターンとがある。
静止するパターンには、チャンス表示部３２ａが静止的に発光する「チャンス」の表示（図１０等参照）と、非チャンス表示部３２ｂが静止的に発光する「非チャンス」の表示（図１１等参照）とがある。「チャンス」の表示が本発明の「特別表示」に該当し、「非チャンス」の表示が本発明の「非特別表示」に該当する。
発光位置が変動するパターンとしては、発光位置が時計回り方向又は半時計回り方向に回転する場合や、ランダムに変動する場合等がある。また、その変動の速度にも種々のものがある。変動速度が徐々に変化する場合もある。
【００３１】
次に、このパチンコ機の制御内容について、フローチャート（図４〜図８）に基づいて説明する。
まず、始動入賞口２６に入賞した場合（ステップＳ２でＹｅｓ）、ステップＳ４において、第１表示部３１の変動表示後における部分的停止後及び全面的停止後の表示内容が、乱数によって決定される。また、第１表示部３１の表示の変動パターンが「敗者復活のパターン」であるか「通常のパターン」（「敗者復活のパターン」以外）であるかも決定される。なお、始動入賞口２６への入賞が、本発明の「所定の条件が満たされる」ことに該当する。
【００３２】
全面的停止後の第１表示部３１の表示内容としては、「当たり」及び「はずれ」がある。前述したように、「当たり」の表示としては、「７７７」のようにすべての桁の数字がそろう表示である。
【００３３】
部分的停止後の表示内容としては、「リーチ」及びそれ以外がある。前述したように、「リーチ」の表示としては、「７７↓」のように上２桁の数字がそろう表示である。「はずれ」のうちには「惜しいはずれ」及びそれ以外の「通常のはずれ」がある。「惜しいはずれ」とは、一旦「リーチ」となった後に「はずれ」となるパターンである。
【００３４】
「敗者復活のパターン」は、第１表示部３１の変動が最終的に「はずれ」で停止した後に再度第２表示部３２が変動を開始し、再度第１表示部３１が変動を開始するパターンである。この「敗者復活のパターン」は、例外的な特殊なパターンであり、全体（すなわち、「通常のパターン」及び「敗者復活のパターン」）のうち、例えば、１／１０００の確率で生ずるようにされている。
【００３５】
「通常のパターン」のうち、第１表示部３１が「リーチ」となる確率は、例えば１／２０とされている。また、第１表示部３１が「リーチ」となった後において第１表示部３１が「当たり」となる確率は、例えば１／１０とされている。すなわち、「通常のパターン」の全体のうち、第１表示部３１が「当たり」となる確率は、例えば（１／２０）×（１／１０）＝１／２００とされている。
【００３６】
次に、ステップＳ６において、図９に示すように、第１表示部３１の表示内容（３桁分のすべて）が変動を開始する。また、第２表示部３２の表示内容も変動を開始する。すなわち、時計回り又は反時計回りに発光部分が回転する。
【００３７】
次に、前述のようにステップＳ４において第１表示部３１の変動パターンが「敗者復活のパターン」か「通常のパターン」か判断される（ステップＳ８）。「通常のパターン」の場合はステップＳ１０へ移行し、「敗者復活のパターン」の場合は、ステップＳ１００へ移行する。
【００３８】
「通常のパターン」の場合は、前述のようにステップＳ４において決定された第１表示部３１の変動停止後の表示内容について判断される。
「当たり」又は「惜しいはずれ」の場合は、ステップＳ１２へ移行する。「通常のはずれ」の場合は、ステップＳ６０へ移行する。
【００３９】
第１表示部３１の変動停止後の表示内容が「当たり」又は「惜しいはずれ」の場合（ステップＳ１０でＹｅｓ）は、第１表示部３１の変動開始時から所定の時間が経つまで（ステップＳ１２でＹｅｓとなるまで）、第１表示部３１の表示内容が変動を継続するとともに、第２表示部３２の表示内容が回転を継続する。
そして、所定の時間が経過した後（ステップＳ１２でＹｅｓとなった後）に、図１０に示すように、第２表示部３２が「チャンス」の表示で停止する（ステップＳ１４）。
【００４０】
第２表示部３２の表示が停止してから所定の時間が経過した後（ステップＳ１６でＹｅｓとなった後）に、図１２に示すように、第１表示部３１が「リーチ」の表示で部分的に停止する（ステップＳ１８）。すなわち、第１表示部３１の上２桁が同一の数字で停止し、下１桁が変動を継続する。
【００４１】
その後に、図１５に示すように、第２表示部３２が再度回転を開始する（ステップＳ２０）。
そして、前述のようにステップＳ４において決定された第１表示部３１の停止（全面的停止）後の表示内容が「当たり」か「はずれ」かが判断される（ステップＳ２２）。
【００４２】
「当たり」の場合は、所定の時間が経過した後（ステップＳ２４でＹｅｓとなった後）に、図１６に示すように、第２表示部３２が「チャンス」の表示で停止（全面的停止）する（ステップＳ２６）。
その後、所定の時間が経過した後（ステップＳ２８でＹｅｓとなった後）に、図１８に示すように、第１表示部３１が「当たり」の表示で停止（全面的停止）する（ステップＳ３０）。すなわち、下１桁が上２桁と同じ数字で停止する。
【００４３】
一方、ステップＳ２２で「はずれ」と判断された際には、ステップＳ４０において第２表示部３２の変動停止後の表示内容が決定される。すなわち、「チャンス」の表示で停止するか「チャンス」以外の表示で停止するかが決定される。その決定は乱数に基づいて行われ、例えば、１／３０の確率で「チャンス」の表示で停止するように決定される。
【００４４】
その後、所定の時間が経過した後（ステップＳ４２でＹｅｓとなった後）に、ステップＳ４０において決定されたとおりに、図１６又は図１７に示すように、第２表示部３２が「チャンス」又は「チャンス」以外の表示で停止する（ステップＳ４４）。
そして、所定の時間が経過した後（ステップＳ４６でＹｅｓとなった後）に、第１表示部３１が「はずれ」の表示で停止（全面的停止）する（ステップＳ４８）。この「はずれ」は、「リーチ」になった後のものであるため、「惜しいはずれ」に該当する。
【００４５】
また、一方、ステップＳ１０でＮｏと判断された場合、すなわち、結果が「当たり」でも「惜しいはずれ」でもない場合には、ステップＳ６０において第２表示部３２の変動停止後の表示内容が決定される。すなわち、ステップＳ４０と同様に、「チャンス」の表示で停止するか「チャンス」以外の表示で停止するかが決定される。その決定は乱数に基づいて行われ、例えば、１／４０の確率で「チャンス」の表示で停止するように決定される。
【００４６】
その後、第１表示部３１及び第２表示部３２が変動する状態で所定の時間が経過した後（ステップＳ６２でＹｅｓとなった後）に、ステップＳ６０において決定されたとおりに、図１０又は図１１に示すように、第２表示部３２が「チャンス」又は「チャンス」以外の表示で停止する（ステップＳ６４）。
【００４７】
そして、所定の時間が経過した後（ステップＳ６６でＹｅｓとなった後）に、図１３又は図１４に示すように、第１表示部３１が「リーチ」以外の表示で部分的に停止する（ステップＳ６８）。すなわち、上２桁部分が異なった数字の表示で停止する。
そして、その後所定の時間が経過した後（ステップＳ７０でＹｅｓとなった後）に、図２１又は図２２に示すように、第１表示部３１（下１桁部分）が「はずれ」の表示で停止（全面的停止）する（ステップＳ７２）。
【００４８】
なお、上述の変形例としては、ステップＳ６８とステップＳ７０との間において、第２表示部３２が回転を開始し、所定の時間が経過した後に、第２表示部３２が「チャンス」又は「チャンス」以外の表示で停止し、その後に上述のようにステップＳ７０を経てステップＳ７２に至る、という態様（変形例１）でもよい。
【００４９】
以上のように、この表示装置３０では、第１表示部３１が「リーチ」になる場合には、その前に第２表示部３２が「チャンス」の表示をする。一方、第１表示部３１が「リーチ」にならない場合には、その前に第２表示部３２が「チャンス」又は「チャンス」以外の表示をする。
第１表示部３１が「リーチ」にならない際において第２表示部３２が「チャンス」になる確率（ステップＳ６０）は、前述したように、例えば１／４０である。一方、第１表示部３１が「リーチ」になる確率は、前述したように、例えば１／２０である。
【００５０】
このため、逆にいえば、第２表示部３２が「チャンス」の表示で停止した場合において、第１表示部３１が「リーチ」になる確率は、（１／２０）／（（１／２０）＋（１９／２０）×（１／４０））＝４０／５９≒４０／６０＝２／３となる。
このように、第２表示部３２が「チャンス」の表示となった場合には、次に第１表示部３１が「リーチ」となる確率は約２／３であり、第１表示部３１が「リーチ」とならない確率は約１／３である。
一方、第２表示部３２が「チャンス」以外の表示をした場合には、第１表示部３１は「リーチ」にはならない。
【００５１】
このように、この表示装置３０では、第２表示部３２が「チャンス」の表示をした場合には、第１表示部３１が「リーチ」になる可能性があることとなり（その確率は約２／３）、遊技者に対して興趣を与えることができる。
すなわち、第２表示部３２が「チャンス」の表示をした場合には、次に第１表示部３１が「リーチ」になることを遊技者は期待することができ、その点で遊技者に対して興趣を与えることができるのである。
【００５２】
また、上述と同様に、第１表示部３１が「リーチ」になった後に「当たり」となる場合には、その前に第２表示部３２が「チャンス」の表示をする。一方、第１表示部３１が「リーチ」になった後に「はずれ」（すなわち「惜しいはずれ」）になる場合には、その前に第２表示部３２が「チャンス」又は「チャンス」以外の表示をする。
第１表示部３１が「はずれ」になる際において第２表示部３２が「チャンス」になる確率（ステップＳ４０）は、前述したように、例えば１／３０である。一方、第１表示部３１が「リーチ」になった場合において「当たり」となる確率は、前述したように、例えば、１／１０である。
【００５３】
このため、逆にいえば、第１表示部３１が「リーチ」になった場合であって、かつ、第２表示部３２が「チャンス」の表示をした場合において、第１表示部３１が「当たり」となる確率は（１／１０）／（（１／１０）＋（９／１０）×（１／３０））＝３０／３９≒３／４となる。
このように、第１表示部３１が「リーチ」の表示となった場合において、第２表示部３２が「チャンス」の表示となった場合には、次に第１表示部３１が「当たり」となる確率は約３／４であり、第１表示部３１が「はずれ」（すなわち「惜しいはずれ」）となる確率は約１／４である。
一方、第２表示部３２が「チャンス」以外の表示をした場合には、第１表示部３１は「リーチ」にはならない。
【００５４】
このように、この表示装置３０では、第１表示部３１が「リーチ」になった場合において、第２表示部３２が「チャンス」の表示をした場合には、第１表示部３１が「当たり」になる可能性があることとなり（その確率は約３／４）、遊技者に対して興趣を与えることができる。
すなわち、第２表示部３２が「チャンス」の表示をした場合には、次に第１表示部３１が「当たり」になることを遊技者は期待することができ、その点で遊技者に対して興趣を与えることができるのである。
【００５５】
一方、ステップＳ８においてＹｅｓとなった場合には、ステップＳ１００へ移行する。そして、所定の時間が経過した後（ステップＳ１００でＹｅｓとなった後）に、第２表示部３２が停止する（ステップＳ１０２）。図１０又は図１１に示すように、その表示としては「チャンス」の場合も「チャンス」以外の表示の場合もある。上述の変形例としては、図１１に示すように、必ず「チャンス」以外の表示で停止するという態様（変形例２）も考えられる。
【００５６】
そして、その後に所定の時間が経過した後（ステップＳ１０４でＹｅｓとなった後）に、第１表示部３１が部分的に停止する（すなわち、上２桁が停止する）（ステップＳ１０６）。図１２又は図１３若しくは図１４に示すように、その表示には「リーチ」の場合も「リーチ」以外の場合もある。上述の変形例としては、図１３若しくは図１４に示すように、必ず「リーチ」以外の表示で停止するという態様（変形例３）も考えられる。
【００５７】
次に、図１５等に示すように、第２表示部３２が再度変動を開始し（ステップＳ１０８）、所定の時間が経過した後（ステップＳ１１０でＹｅｓとなった後）に、第２表示部３２が停止する（ステップＳ１１２）。図１６又は図１７等に示すように、その表示としては「チャンス」の場合も「チャンス」以外の表示もある。上述の変形例としては、図１７等に示すように、必ず「チャンス」以外の表示で停止するという態様（変形例４）も考えられる。
【００５８】
そして、所定の時間が経過した後（ステップＳ１１４でＹｅｓとなった後）に、図１９若しくは図２０、図２１又は図２２に示すように、第１表示部３１が「はずれ」の表示で停止（全面的停止）する（ステップＳ１１６）。こうして、一旦、第１表示部３１は「はずれ」の表示で停止する。
そして、その後に、以下のように、「敗者復活」が行われる。
【００５９】
すなわち、図２３に示すように、第２表示部３２が再度変動を開始し（ステップＳ１１８）、図９に示すように、第１表示部３１も再度変動を開始する（ステップＳ１２０）。そして、所定の時間を経過した後（ステップＳ１２２でＹｅｓとなった後）に、図１０に示すように、第２表示部３２が「チャンス」の表示で停止する（ステップＳ１２４）。
そして、所定の時間が経過した後（ステップＳ１２６でＹｅｓとなった後）に、図１２に示すように、第１表示部３１が「リーチ」の表示で部分的に停止する（ステップＳ１２８）。上述の変形例（変形例５）としては、「リーチ」又は「リーチ」以外の表示で停止する、という態様も考えられる。
【００６０】
その後に、図１５に示すように、第２表示部３２が再度変動を開始し（ステップＳ１３０）、所定の時間が経過した後（ステップＳ１３２でＹｅｓとなった後）に、図１６に示すように、第２表示部３２が「チャンス」の表示で停止する（ステップＳ１３４）。
【００６１】
そして、所定の時間が経過した後（ステップＳ１３６でＹｅｓとなった後）に、図１８に示すように、第１表示部３１が「当たり」の表示で停止（全面的停止）する（ステップＳ１３８）。上述の変形例としては、「当たり」又は「はずれ」の表示で停止（全面的停止）する、という態様（変形例６）も考えられる。
【００６２】
このように、この表示装置３０では、第１表示部３１においてが一旦「はずれ」となっても、第２表示部３２が再度変動をした場合においては、第１表示部３１が「当たり」となり、敗者復活となる。なお、上述において「上述の変形例５及び６」として説明した態様の場合においては、第１表示部３１が「当たり」となる「可能性」がある。
【００６３】
このように、この表示装置３０では、第１表示部３１が一旦「はずれ」となっても、その後に第２表示部３２が変動を開始する場合には、その「はずれ」が覆る（覆る場合がある）ため、その点で遊技者に対して興趣を与えることができる。
すなわち、一旦第１表示部３１が「はずれ」となっても、遊技者には「敗者復活」の機会が与えられる場合があることとなり、その点で遊技者に対して興趣を与えることができるのである。
【００６４】
［実施形態２］
次に、本発明の実施形態２について、実施形態１との相違点を中心に説明する。
実施形態１の表示装置３０では、ステップＳ１４において、第２表示部３２が「チャンス」の表示で常に停止したが、実施形態２の表示装置では、ほとんどの場合（例えば９９／１００の確率）で「チャンス」の表示で停止し、まれに（例えば１／１００の確率）「チャンス」以外の表示で停止する。
すなわち、第１表示部３１が「リーチ」になる場合には、その前に第２表示部３２が「チャンス」の表示をする確率が高い（その確率は上述のように例えば９９／１００）。
【００６５】
一方、実施形態１と同様に、ステップＳ６４において、第２表示部３２が、多くの場合（前述のように例えば３９／４０の確率）で「チャンス」以外の表示で停止し、まれに（前述のように例えば１／４０の確率）「チャンス」の表示で停止する。
また、第１表示部３１が「リーチ」になる確率は、前述のように、例えば１／２０である。
【００６６】
このため、逆にいえば、第２表示部３２が「チャンス」の表示で停止した場合において、第１表示部３１が「リーチ」になる確率は、（（１／２０）×（９９／１００））／（（１／２０）×（９９／１００）＋（１９／２０）×（１／４０））＝（４×９９）／（４×９９＋１０×１９）≒（４×１００）／（４×１００＋１０×２０）＝２／３であり、約２／３である。また、第２表示部３２が「チャンス」の表示で停止した場合において、第１表示部３１が「リーチ」にならない確率は約１／３である。
【００６７】
一方、第２表示部３２が「チャンス」以外の表示で停止した場合において、第１表示部３１が「リーチ」になる確率は、（（１／２０）×（１／１００））／（（１／２０）×（１／１００）＋（１９／２０）×（３９／４０））＝４／（４＋１０×１９×３９）≒４／（１０×２０×４０）＝１／２００であり、約１／２００である。
【００６８】
以上のように、第１表示部３１の表示内容が部分的に停止する前において、第２表示部３２が「チャンス」の表示をした場合には、第２表示部３２が「チャンス」以外の表示をした場合よりも、その後に第１表示部３１が「リーチ」になる可能性が高い（圧倒的に高い）。
このため、この表示装置では、実施形態１の表示装置３０と同様に、第２表示部３２が「チャンス」の表示をした場合には、次に第１表示部３１が「リーチ」になることを遊技者は期待することができ、その点で遊技者に対して興趣を与えることができるのである。
【００６９】
また、この表示装置では、実施形態１の表示装置３０とは異なり、第２表示部３２が「チャンス」以外の表示をした場合でも、「チャンス」の表示をした場合よりはその可能性が低いが、次に第１表示部３１が「リーチ」になるかもしれないことを遊技者は期待することができ、その点でも遊技者に対して興趣を与えることができるのである。
【００７０】
また、上述と同様に、実施形態１の表示装置３０では、ステップＳ２６において、第２表示部３２が「チャンス」の表示で常に停止したが、実施形態２の表示装置では、ほとんどの場合（例えば４９／５０の確率）で「チャンス」の表示で停止し、まれに（例えば１／５０の確率）「チャンス」以外の表示で停止する。すなわち、第１表示部３１が「当たり」になる場合には、その前に第２表示部３２が「チャンス」の表示をする確率が高い（その確率は上述のように例えば４９／５０）。
【００７１】
一方、実施形態１と同様に、ステップＳ４４において、第２表示部３２が、多くの場合（前述のように例えば２９／３０の確率）で「チャンス」以外の表示で停止し、まれに（前述のように例えば１／３０の確率）「チャンス」の表示で停止する。
また、第１表示部３１が「リーチ」になった場合において「当たり」になる確率は、前述のように、例えば１／１０である。
【００７２】
このため、逆にいえば、第１表示部３１が「リーチ」になった場合であって、かつ、第２表示部３２が「チャンス」の表示で停止した場合において、第１表示部３１が「当たり」になる確率は、（（１／１０）×（４９／５０））／（（１／１０）×（４９／５０）＋（９／１０）×（１／３０））＝（３×４９）／（３×４９＋５×９）≒（３×５０）／（３×５０＋５×１０）＝３／４であり、約３／４である。また、第２表示部３２が「チャンス」の表示で停止した場合において、第１表示部３１が「リーチ」ならない確率は約１／４である。
【００７３】
一方、第２表示部３２が「チャンス」以外の表示で停止した場合において、第１表示部３１が「リーチ」になる確率は、（（１／１０）×（１／５０））／（（１／１０）×（１／５０）＋（９／１０）×（２９／３０））＝３／（３＋５×９×２９）≒３／（５×１０×３０）＝１／５００であり、約１／５００である。
【００７４】
以上のように、第１表示部３１の表示内容が全面的に停止する前において、第２表示部３２が「チャンス」の表示をした場合には、第２表示部３２が「チャンス」以外の表示をした場合よりも、その後に第１表示部３１が「当たり」になる可能性が高い（圧倒的に高い）。
このため、この表示装置では、実施形態１の表示装置３０と同様に、第２表示部３２が「チャンス」の表示をした場合には、次に第１表示部３１が「当たり」になることを遊技者は期待することができ、その点で遊技者に対して興趣を与えることができるのである。
【００７５】
また、この表示装置では、実施形態１の表示装置３０とは異なり、第２表示部３２が「チャンス」以外の表示をした場合でも、「チャンス」の表示をした場合よりはその可能性が低いが、次に第１表示部３１が「当たり」になるかもしれないことを遊技者は期待することができ、その点でも遊技者に対して興趣を与えることができるのである。
【００７６】
なお、上記のものはあくまで本発明の数例の実施形態にすぎず、当業者の知識に基づいて種々の変更を加えた態様で本発明を実施できることはもちろんである。
例えば、実施形態１において「変形例１〜６」として示した内容については、それらの任意の組み合わせが考えられる。また、「変形例１〜６」のことについては、実施形態２に対しても適用され得る。
【００７７】
【発明の効果】
以上説明したように、本発明によれば、第２表示部は、その表示内容が変動した後であって第１表示部の表示内容が部分的に停止及び／又は全面的に停止する前に特別表示又はそれ以外の非特別表示をする。そして、第２表示部が当該特別表示をした際には第１表示部が特別利益付与可能性表示及び／又は特別利益付与表示をする可能性がある。
このため、本発明では、第２表示部が特別表示をした場合には、非特別表示をした場合と比較して、第１表示部が特別利益付与可能性表示及び／又は特別利益付与表示をする可能性が高いという期待感を遊技者に与えることができ、その点で遊技者に対して興趣を与えることができる。
【００７８】
そして、上述の第２表示部の表示内容の変動は、特別表示に対応するもの及び非特別表示に対応するものとの間におけるものである。
このため、遊技者は、第２表示部が特別表示をするか非特別表示をするかについてスリルを感じ、この表示装置はこの点でも遊技者に対して興趣を与えることができる。
【図面の簡単な説明】
【図１】本発明の一実施形態の表示装置を有するパチンコ機の正面図である。表示装置については、第１表示部が「当たり」の表示をし、第２表示部が「チャンス」の表示をする状態を示す。
【図２】本発明の一実施形態の表示装置を拡大して示す正面図である。第１表示部が３桁分とも変動中であり、第２表示部が回転中（非チャンス部が発光する瞬間）の状態を示す。
【図３】本発明の一実施形態の表示装置の制御部等を示すブロック図である。
【図４】本発明の一実施形態の表示装置の制御内容を示すフローチャートである。
【図５】本発明の一実施形態の表示装置の制御内容を示すフローチャートである。
【図６】本発明の一実施形態の表示装置の制御内容を示すフローチャートである。
【図７】本発明の一実施形態の表示装置の制御内容を示すフローチャートである。
【図８】本発明の一実施形態の表示装置の制御内容を示すフローチャートである。
【図９】本発明の一実施形態の表示装置の一表示態様を示す図である。第１表示部が変動中であり第２表示部も回転中の状態である。
【図１０】本発明の一実施形態の表示装置の一表示態様を示す図である。第１表示部が変動中であり第２表示部が「チャンス」の表示をする状態である。
【図１１】本発明の一実施形態の表示装置の一表示態様を示す図である。第１表示部が変動中であり第２表示部が「チャンス」以外の表示をする状態である。
【図１２】本発明の一実施形態の表示装置の一表示態様を示す図である。第２表示部が「チャンス」の表示をして第１表示部が「リーチ」の表示をする状態である。
【図１３】本発明の一実施形態の表示装置の一表示態様を示す図である。第２表示部が「チャンス」の表示をして第１表示部が「リーチ」以外の表示をする状態である。
【図１４】本発明の一実施形態の表示装置の一表示態様を示す図である。第２表示部が「チャンス」以外の表示をして第１表示部が「リーチ」以外の表示をする状態である。
【図１５】本発明の一実施形態の表示装置の一表示態様を示す図である。第１表示部が「リーチ」の表示をして第２表示部が回転中の状態である。
【図１６】本発明の一実施形態の表示装置の一表示態様を示す図である。第１表示部が「リーチ」の表示をして第２表示部が「チャンス」の表示をする状態である。
【図１７】本発明の一実施形態の表示装置の一表示態様を示す図である。第１表示部が「リーチ」の表示をして第２表示部が「チャンス」以外の表示をする状態である。
【図１８】本発明の一実施形態の表示装置の一表示態様を示す図である。第２表示部が「チャンス」の表示をして第１表示部が「当たり」の表示をする状態である。
【図１９】本発明の一実施形態の表示装置の一表示態様を示す図である。第２表示部が「チャンス」の表示をして第１表示部が「はずれ」の表示をする状態である。
【図２０】本発明の一実施形態の表示装置の一表示態様を示す図である。第２表示部が「チャンス」以外の表示をして第１表示部が「はずれ」の表示をする状態である。
【図２１】本発明の一実施形態の表示装置の一表示態様を示す図である。第２表示部が「チャンス」の表示をして第１表示部が「はずれ」の表示をする状態である。
【図２２】本発明の一実施形態の表示装置の一表示態様を示す図である。第２表示部が「チャンス」以外の表示をして第１表示部が「はずれ」の表示をする状態である。
【図２３】本発明の一実施形態の表示装置の一表示態様を示す図である。第１表示部が「はずれ」の表示をして第２表示部が回転中の状態である。
【符号の説明】
３０　表示装置
３１　第１表示部
３２　第２表示部
３２ａ　チャンス表示部（分割表示部）
３２ｂ　非チャンス表示部（分割表示部）
【図１】
2004008619.tif 000003
【図２】
2004008619.tif 000004
【図３】
2004008619.tif 000005
【図４】
2004008619.tif 000006
【図５】
2004008619.tif 000007
【図６】
2004008619.tif 000008
【図７】
2004008619.tif 000009
【図８】
2004008619.tif 000010
【図９】
2004008619.tif 000011
【図１０】
2004008619.tif 000012
【図１１】
2004008619.tif 000013
【図１２】
2004008619.tif 000014
【図１３】
2004008619.tif 000015
【図１４】
2004008619.tif 000016
【図１５】
2004008619.tif 000017
【図１６】
2004008619.tif 000018
【図１７】
2004008619.tif 000019
【図１８】
2004008619.tif 000020
【図１９】
2004008619.tif 000021
【図２０】
2004008619.tif 000022
【図２１】
2004008619.tif 000023
【図２２】
2004008619.tif 000024
【図２３】
2004008619.tif 000025